【事件の表示】
　特願２００６−３５５０８５号「洗濯乾燥機」拒絶査定不服審判事件〔平成２０年　７月１７日出願公開、特開２００８−１６１４８６号、請求項の数（１）〕について、次のとおり審決する。
【結　論】
　原査定を取り消す。
　本願の発明は、特許すべきものとする。
【理　由】
 第１　手続の経緯・本願発明  
　本願は、平成１８年１２月２８日の出願であって、平成２２年７月２６日付けで拒絶査定がなされ（発送日：同年８月３日）、これに対し、同年１１月１日に拒絶査定不服審判が請求され、その審判の請求と同時に手続補正がされたが、当審において平成２３年７月１４日付けで拒絶理由が通知され、その指定期間内である同年８月１９日付け手続補正がされ、同年８月２９日に刊行物等提出書による情報の提供がされたものである。
　そして、その請求項１に係る発明（以下「本願発明」という。）は、平成２３年８月１９日付け手続補正書により補正された特許請求の範囲の請求項１に記載された次のとおりのものと認められる。
　
「【請求項１】
　水槽と、前記水槽に内設され、脱水槽孔が側面に設けられると共に底面に脱水槽底板を有した洗濯兼脱水槽と、前記洗濯兼脱水槽に温風を供給する温風供給手段と、前記洗濯兼脱水槽内から前記脱水槽孔を通過して排出された温風を、前記水槽の側面に開口し、上端部が前記脱水槽底板及び前記洗濯兼脱水槽底部のパルセータの上端よりも上方に位置した給気口を介して前記水槽外へ放出する除湿風路と、を備えた洗濯乾燥機において、
　前記洗濯兼脱水槽の、前記給気口の上端部に対向する位置より上方の側面にのみ前記脱水槽孔を設けたことを特徴とする洗濯乾燥機。」
　
第２　刊行物
　１　刊行物１  
　当審における拒絶の理由に引用した、本願の出願前に頒布された特開２００４−３０５７８６号公報（以下「刊行物１」という。）には、図面と共に、次の事項が記載されている。（下線は当審で付した。以下同じ。）
　
（１）「【００２１】
　図１は、本発明の一実施の形態である洗濯乾燥機を縦断面して示す模式図である。
【００２２】
　１は、外郭を構成する枠体である。
２は、洗濯兼脱水槽であり、その周壁に通水穴２ａを有し
底部の内側には回転自在に撹拌翼４を設置する
５は、前記洗濯兼脱水槽２を内包する外槽であり、底部
　
（２）「【００３３】
　温風循環乾燥手段は、
外槽５の底部近くの側壁に形成した吸い出し口５ａから該外槽５の後側の外壁面に沿って垂直状態で上向きに伸びるように形成して前記吸い出し口５ａから浸入した洗濯水を堰き止める水冷除湿ダクト２３
循環空気を加熱するヒータ（ＰＴＣヒータ）２９と、ヒータ２９によって加熱された循環空気を洗濯兼脱水槽２内に向けて吹き込む
　
（３）「【００３５】
　そして、この温風循環乾燥手段は、洗濯後に外槽５内の洗濯水を排水し、洗濯兼脱水槽２を高速回転させて脱水した後に低速回転させながら、循環ファン２６を運転することによって、
外槽５および洗濯兼脱水槽３（当審注：「洗濯兼脱水槽２」の誤記。）内の湿潤空気を吸い出し口５ａから吸い出し、水冷除湿ダクト２３内を上昇させる
洗濯兼脱水槽２に吹き込まれた循環空気は、洗濯兼脱水槽２内の洗濯物に触れて該洗濯物を乾燥する
　
（４）「【図面の簡単な説明】
【０１０９】
【図１】本発明の一実施の形態である洗濯乾燥機を縦断面して示す模式図である。
【図２】図１に示した洗濯乾燥機の具体的な構成を示す縦断側面図である。」
　
（５）図２には、洗濯兼脱水槽２の底部に底板を有すること、外槽５の底部近くの側壁に形成した吸い出し口５ａの上端部が洗濯兼脱水槽２の底板に対向し、かつ洗濯兼脱水槽２の底部に設けた攪拌翼４ａの下部に対向して位置することが示されている。
　
（６）図１及び２には、前記（１）の「洗濯兼脱水槽であり、その周壁に通水穴２ａを有し」との記載とをあわせみると、洗濯兼脱水槽２の、吸い出し口５ａの上端部に対向する位置より上方の、周壁にのみ通水穴２ａを設けることが示されているといえる。
　
（７）前記（３）の「ヒータ２９によって加熱して洗濯兼脱水槽２内の内壁面付近に向けて該洗濯兼脱水槽２の回転方向に対して逆向きに吹き込む。洗濯兼脱水槽２に吹き込まれた循環空気は、洗濯兼脱水槽２内の洗濯物に触れて該洗濯物を乾燥する。」及び「循環ファン２６を運転することによって、外槽５および洗濯兼脱水槽３（当審注：「洗濯兼脱水槽２」の誤記。）内の湿潤空気を吸い出し口５ａから吸い出し、水冷除湿ダクト２３内を上昇させる」との記載並びに前記（１）の「２は、洗濯兼脱水槽であり、その周壁に通水穴２ａを有し」との記載からみて、加熱された循環空気が洗濯物を乾燥させ、湿潤空気となって洗濯兼脱水槽２内から通水穴２ａを通過して排出されるといえる。
　
　これらの記載事項及び図示内容を総合すると、刊行物１には、次の発明（以下「刊行物１に記載された発明」という。）が記載されている。  
　  
「外槽５と、前記外槽５に内設され、通水穴２ａが周壁に設けられると共に底部に底板を有した洗濯兼脱水槽２と、前記洗濯兼脱水槽２に加熱された循環空気を供給するヒータ２９と、前記洗濯兼脱水槽２内から前記通水穴２ａを通過して排出された前記循環空気を、前記外槽５の側壁に開口し、上端部が洗濯兼脱水槽２の底板に対向し、かつ洗濯兼脱水槽２の底部に設けた攪拌翼４ａの下部に対向して位置した吸い出し口５ａを介して前記外槽５外へ放出する水冷除湿ダクト２３と、を備えた洗濯乾燥機において、
　前記洗濯兼脱水槽２の、前記吸い出し口５ａの上端部に対向する位置より上方の周壁にのみ前記通水穴２ａを設けた洗濯乾燥機。」
　
　２　刊行物２  
　また、刊行物等提出書により提出され、本願の出願前に頒布された特開２００５−３４８９４３号公報には、図面と共に、次の事項が記載されている。
　
（１）「【０００８】
　この水槽４は、底部の排水口６に排水弁７を介して排水ホース８が接続され、実質的に無孔状の貯水可能な槽体を構成している。そして水槽４の上面には、その開口を閉塞するように円板状の槽カバー９が気密的に被着されている。この槽カバー９は、水槽４を極力密閉構成にするとともに、その略中央部には開閉可能な内蓋９ａを設け、洗濯物の出し入れを可能としている。また、
水槽４の外側に隣接して上下方向に延びる中空の通気路１０
【０００９】
　この通気路１０は、図示するように水槽４の下部にて連通し、上方に延出した上端を開口し、且つ水槽４の周壁を兼ねた仕切壁１１を有した構成となし、従って水槽４の周壁より外方に膨出した形態をなしている。なお、
水槽４の下部における連通口１２
【００１０】
　（略）
【００１１】
　上記のような
水槽４の内部には、洗濯兼脱水槽１５が垂直軸周りの所謂縦軸回転可能に設けられている
椀状の底壁部１５ａおよび円筒状の胴壁部１５ｂには、通水孔および通気孔として機能するそれぞれ複数の開口部１６および脱水孔１７を備えている
　
（２）「【００１６】
　なお、図１中に示す３３は外気を取り込む際のフィルター装置で、また複数の破線矢印は、脱水運転や乾燥運転時における空気流（含む温風）の流れを概略的に示したもので、概述すると、外気は温風生成ユニット２５のケーシング２８内に取り込まれた後、給気ダクト３０を経て水槽４および洗濯兼脱水槽１５内に供給される。そして、内部の図示しない
洗濯物の脱水や乾燥に寄与した後、水槽４下部の連通口１２から通気路１０内に入り、上昇して通気ガイド１３より槽外に排出され、さらには外蓋２３の切欠部２３ａや、外箱２の下面開口から本体１外に排気される
　
（３）図１には、通気路１０の連通孔１２の上端部が洗濯兼脱水槽１５の底壁部１５ａ及び洗濯兼脱水槽１５に設けられた攪拌体２０の上端よりも上方に位置すること、洗濯兼脱水槽１５の胴壁部１５ｂに設けられた脱水孔１７の一部は連通孔１２の上端部より下方にあることが示されている。
　
第３　対比  
　本願発明と刊行物１に記載された発明とを対比すると、後者の「外槽５」は前者の「水槽」に相当し、以下同様に、外槽５の「側壁」は水槽の「側面」に、洗濯兼脱水槽２の「周壁」は洗濯兼脱水槽の「側面」に、同「底部」は同「底面」に、同「底板」は同「脱水槽底板」に、「通水穴２ａ」は「脱水槽孔」に、「ヒータ２９」は「温風供給手段」に、「加熱された循環空気」は「温風」に、「吸い出し口５ａ」は「給気口」に、「攪拌翼４ａ」は「パルセータ」に、「水冷除湿ダクト２３」は「除湿風路」に、「洗濯乾燥機」は「洗濯乾燥機」にそれぞれ相当する。
　
　したがって、両者は、 
「水槽と、前記水槽に内設され、脱水槽孔が側面に設けられると共に底面に脱水槽底板を有した洗濯兼脱水槽と、前記洗濯兼脱水槽に温風を供給する温風供給手段と、前記洗濯兼脱水槽内から前記脱水槽孔を通過して排出された温風を、前記水槽の側面に開口した給気口を介して前記水槽外へ放出する除湿風路と、を備えた洗濯乾燥機において、
　前記洗濯兼脱水槽の、前記給気口の上端部に対向する位置より上方の側面にのみ前記脱水槽孔を設けた洗濯乾燥機。」
　である点で一致し、以下の点で相違している。  
　  
〔相違点〕  
　給気口の上端部について、本願発明では、脱水槽底板及び洗濯兼脱水槽底部のパルセータの上端よりも上方に位置するのに対し、
　刊行物１に記載された発明では、洗濯兼脱水槽２の底板に対向し、かつ洗濯兼脱水槽２の底部に設けた攪拌翼４ａの下部に対向して位置する点。
　
第４　当審の判断
　そこで、相違点について検討する。
　本願発明は、「洗濯乾燥機の内装密度を高める観点からすれば、上記のような除湿風路は、洗濯兼脱水槽に隣接配置し、その風路長はなるべく短い方が好ましい。しかしながら、除湿風路を洗濯兼脱水槽に隣接して、その風路長さを短くすると、除湿風路から流れ出た冷却水や除湿水が、洗濯兼脱水槽の脱水槽孔からその内部に入り込んで、乾燥衣類を濡らしてしまうという問題」（本願明細書段落【０００６】）を解決しようとするものである。
　
　刊行物１及び２には、このような問題についての記載や示唆がない。
　
　また、刊行物２には、通気路１０の連通孔１２の上端部が洗濯兼脱水槽１５の底壁部１５ａ及び洗濯兼脱水槽１５に設けられた攪拌体２０の上端よりも上方に位置することが示されているが、その他に「水槽４の下部における連通口１２は、極力下方に位置して連通することが好ましい」（段落【０００９】）が記載されると共に、洗濯兼脱水槽１５の胴壁部１５ｂに設けられた脱水孔１７の一部が連通孔１２の上端部より下方にあることが図示されている。
　
　そして、刊行物２の通気路１０には、洗濯物の乾燥に寄与した空気流を除湿する機能が備えられていないため除湿による水の発生がないものである。
　
　そうしてみると、刊行物１に記載された発明と刊行物２に記載された事項とが同じ洗濯乾燥機に関する技術分野であるとしても、刊行物２の洗濯乾燥機は除湿風路を有するものではなく、刊行物２には除湿風路の給気口の上端部を上方にして風路長を短くすることも、さらにその際、除湿風路からの水を考慮して給気口の上端部と脱水孔１７との関係を変えることも示唆されていないから、刊行物１に記載された発明に刊行物２に記載された事項を適用したとしても、本願発明の相違点に係る構成と「洗濯兼脱水槽の、前記給気口の上端部に対向する位置より上方の側面にのみ前記脱水槽孔を設けた」によって「除湿風路から流れ出た冷却水や除湿水は、洗濯兼脱水槽の内部に入り込むことができず」（本願明細書段落【０００９】）という作用効果を生じることは、刊行物１及び２から当業者が容易に予測することができたとはいえない。
　
　したがって、本願発明は、刊行物１に記載された発明及び刊行物２に記載された事項に基いて当業者が容易に発明をすることができたとはいえない。
　
　また、原査定の拒絶の理由に引用された特開２００４−２０９０６５号公報には、外槽３の下部に温風循環除湿装置１８の吸出し口３ｂを形成すること（段落【００１７】）、当該吸出し口３ｂの上端がパルセータ５に対向する位置にあること（図１）、脱水穴が洗濯槽４に設けられること（図１）が示され、同じく引用された特開２００４−１７４１６６号公報には、回転槽１１の周壁が定格水位以下で無孔壁となること（段落【０００８】）、除湿を行う温風経路１５の開口部が回転槽１１の底面より下方にあること（図１）が示されるものの、本願発明の相違点に係る構成は、いずれの文献にも示されていない。
　さらに、同じく引用された特開平１１−１８８１９４号公報や特開２０００−２７９６８２号公報に記載された洗濯機はそもそも給気口を有するものでない。
　そうしてみると、刊行物１に記載された発明において、本願発明の前述の問題を解決するために、本願発明の相違点に係る構成を採用することは、当業者が容易に想到することができたとはいえない。
　  
第５　むすび  
　以上のとおりであるから、本願発明は、特許法第２９条第２項の規定により特許を受けることができないとはいえない。
　
　そして、本願については、原査定の拒絶理由を検討してもその理由によって拒絶すべきものとすることはできない。 
　また、他に本願を拒絶すべき理由を発見しない。 
　よって、結論のとおり審決する。